(57)【要約】【課題】塵や水の飛散を防止し、作業面の様子を視認可能でカバーが邪魔になり難く操作性が良好であり、意図しない作動を防止することができる注水式電動工具を提供する。【解決手段】注水式グラインダ１において、集塵カバー５０のカバー本体５０ａのみをループハンドル４に取付可能とし、更に、カバー本体５０ａに対し、ガード体７０を装着して、これらを組合わせて取付可能とする。ガード体７０は、断面Ω字状である帯状の部材であって、カバー本体５０ａを介してループハンドル４に装着されると、研磨パッド２７の周面部分のみを覆う。【選択図】図１
2013163243.tif 000002
【特許請求の範囲】
【請求項１】
工具に対して注水可能な注水式電動工具において、
前記工具の一部を覆う集塵カバーが、着脱可能に設けられており、
当該集塵カバーが、前記工具の周面部分のみを覆うガード体を含んでいる
ことを特徴とする注水式電動工具。
【請求項２】
前記ガード体は、前記集塵カバーのカバー本体とは別体であり、当該カバー本体に着脱可能である
ことを特徴とする請求項１に記載の注水式電動工具。
【請求項３】
前記集塵カバー又は前記カバー本体若しくはガード体は、弾性体で形成されている
ことを特徴とする請求項１又は請求項２に記載の注水式電動工具。
【請求項４】
前記カバー本体あるいは注水式電動工具の本体に、外したガード体を取付により取置く取置き部が設けられている
ことを特徴とする請求項２又は請求項３に記載の注水式電動工具。
【発明の詳細な説明】
【技術分野】
【０００１】
本発明は、注水式グラインダや注水式サンダ等の注水式電動工具に関する。
【背景技術】
【０００２】
下記特許文献１に示されるように、本体ハウジング前方のギアハウジングに装着可能である、パッドを覆うカバーが設けられた注水式のポリッシャが知られている。このカバーは、ギアハウジングに対する装着部から延設される半円状の皿状部を有して形成されており、パッドの後半部を覆うものとなっている。
【先行技術文献】
【特許文献】
【０００３】
【特許文献１】特開２００６−９５６６７号公報
【発明の概要】
【発明が解決しようとする課題】
【０００４】
特許文献１のポリッシャでは、カバーを装着することで、塵や水を集めて排出可能として塵や水の後方への飛散を防止することができる。
又、カバーを装着しても、パッドの前半部が露出した状態となる。よって、パッドや被削材（ワーク）の作業面の様子を視認することができるし、平面研磨時や箱内の角部研削時にカバーが邪魔にならずに操作性が良好となる。
しかし、パッドの前半の周縁も露出することになり、意図しない部位に当該周縁を当ててパッドやポリッシャを跳ねさせてしまう可能性を生じ、あるいは当該部位を削ってしまう可能性を生じる。
そこで、本発明は、塵や水の飛散を防止し、作業面の様子を視認可能でカバーが邪魔になり難く操作性が良好であり、意図しない作動を防止することができる注水式電動工具を提供することを主な目的とするものである。
【課題を解決するための手段】
【０００５】
上記目的を達成するために、請求項１に記載の発明は、工具に対して注水可能な注水式電動工具において、前記工具の一部を覆う集塵カバーが、着脱可能に設けられており、当該集塵カバーが、前記工具の周面部分のみを覆うガード体を含んでいることを特徴とするものである。
請求項２に記載の発明は、上記発明において、前記ガード体は、前記集塵カバーのカバー本体とは別体であり、当該カバー本体に着脱可能であることを特徴とするものである。
請求項３に記載の発明は、上記発明において、前記集塵カバー又は前記カバー本体若しくはガード体は、弾性体で形成されていることを特徴とするものである。
請求項４に記載の発明は、上記発明において、前記カバー本体あるいは注水式電動工具の本体に、外したガード体を取付により取置く取置き部が設けられていることを特徴とするものである。
【発明の効果】
【０００６】
本発明の内、請求項１に記載の発明によれば、着脱自在な集塵カバーが工具の側周部分のみを覆うガード体を含んでいるため、塵や水の飛散を防止し、作業面の様子を視認可能でカバーが邪魔になり難く操作性が良好であり、意図しない作動を防止することができる。
又、請求項２に記載の発明によれば、ガード体も着脱可能であるため、上記効果に加え、工具の種類や作業内容等に応じて集塵カバーやガード体の有無を柔軟に選択することができる。
更に、請求項３に記載の発明によれば、集塵カバーあるいはその一部が弾性体であるため、意図しない接触があったとしても優しく当たることができるし、カバー本体やガード体の着脱を行い易くすることができるし、これらの装着を確実なものとすることができる。
加えて、請求項４に記載の発明によれば、ガード体の取置き部を設けることで、外したガード体の仮置き場を提供し、ガード体の紛失を防止したり、着脱の際ガード体を探すことなく極めて容易に着脱可能にすることができる。
【図面の簡単な説明】
【０００７】
【図１】本発明の第１形態に係る注水式グラインダの工具取付状態に係る後側全体斜視図である。
【図２】図１の工具取外し状態に係る前側全体斜視図である。
【図３】図２の前面図である。
【図４】図３のＡ−Ａ線断面を含む側面図である。
【図５】図１における集塵カバーのカバー本体の（ａ）後面図，（ｂ）下面図，（ｃ）一部側面図，（ｄ）（ａ）のＣ−Ｃ線断面図，（ｅ）切欠断面を含む一部前面図，（ｆ）斜視図である。
【図６】図１における集塵カバーのガード体の（ａ）斜視図，（ｂ）前面図，（ｃ）一部斜視図である。
【図７】本発明の第２形態に係る注水式グラインダの後側全体斜視図である。
【図８】図７における集塵カバーのガード体取置状態に係る（ａ）下方後側全体斜視図，（ｂ）上方後側全体斜視図下面図である。
【図９】図７における集塵カバーのカバー本体の（ａ）後面図，（ｂ）下面図，（ｃ）一部側面図，（ｄ）（ａ）のＣ−Ｃ線断面図，（ｅ）切欠断面を含む一部前面図，（ｆ）斜視図である。
【図１０】本発明の第３形態に係る注水式グラインダの後側全体斜視図である。
【図１１】図１０における集塵カバーのガード体の（ａ）後面図，（ｂ）下面図，（ｃ）一部側面図，（ｄ）（ａ）のＣ−Ｃ線断面図，（ｅ）切欠断面を含む一部前面図，（ｆ）斜視図である。
【発明を実施するための形態】
【０００８】
以下、本発明の実施の形態を図面に基づいて数例説明する。
【０００９】
≪第１形態≫
図１は第１形態に係る注水式電動工具の一例である注水式グラインダ１の工具取付状態に係る後側全体斜視図であり、図２は注水式グラインダ１の工具取外し状態に係る前側全体斜視図であり、図３は注水式グラインダ１の工具取外し状態に係る前面図であり、図４は図３のＡ−Ａ線断面を含む側面図である。
注水式グラインダ１は、前後方向に沿う本体２と、その下側に形成されたループハンドル４と、本体２の側部から側方に突出するグリップ５を備えている。
ループハンドル４は、本体２の後方下部から下方へ突出させたハンドル後半部６と、ハンドル後半部６の下部から本体２の前部にかけて渡された側面視Ｌ字状のハンドル前半部８を有している。
ループハンドル４は、ハンドル後半部６を後部とし、ハンドル前半部８の前辺を前部とし、その下辺を下部とした状態で、本体２下側からループ状に突出している。
【００１０】
本体２の内部には、図示しないモータが組み込まれており、その回転軸と接続されたスピンドル２０が、ベアリング２１を介して本体２の前部内に取付けられている。
上記モータは、コード２２からの給電により駆動し、そのスイッチ２３がハンドル後半部６において露出して設けられる。
又、スピンドル２０には、工具（例えば研磨パッド２７）が取付けられており、スピンドル２０の前部には、水路２４が内設されている。水路２４は、スピンドル２０の中間に位置する放射方向の導入路２５と、これに連通しこれより前側に位置する軸方向の案内路２６を含む。
スピンドル２０の案内路２６は、散水用のピン２８を固定するための穴でもあり、ピン２８の内部にも、ピン水路２９が設けられている。
又、スピンドル２０の導入路２５の周囲に接触する孔付きの周囲部材３０が設けられると共に、当該孔に連通する孔３２が、本体２前部下側において設けられる。
【００１１】
加えて、ハンドル前半部８の内部には、水路２４に水を供給する配水管４０が配置されている。配水管４０の上端には、孔３２に接続されるコネクタ４２が設けられており、配水管４０の下端には、流量を調節するバルブ４４に対するコネクタ４６が設けられている。
又、バルブ４４の反対側（下側）には、水を通すホース（図示せず）の接続部４８が接続されている。接続部４８の下部は、ハンドル前半部８の角部下側から露出している。
【００１２】
そして、スピンドル２０の周囲に配置可能な集塵カバー５０が、配水管４０を収めるハンドル前半部８に取付けられている。
集塵カバー５０は、半皿状あるいは半碗状のカバー本体５０ａと、これに取付可能なガード体７０を含んでいる。
【００１３】
カバー本体５０ａは、弾性体（合成ゴム）により形成されており、図５にも示すように、半分に縦割りした平底の碗形状の底中央に対し、より小径の半円板を延設して、更に小径の円孔５１を半円板と同心で開け、円孔５１の上半ないしその下方を囲むリブ５２を立設した形状を呈している。尚、リブ５２内方は外方より上げ底となっている。又、カバー本体５０ａの碗形状内部（前面）にも、リブ５３，５３・・が、放射状に複数配置されている。
又、円孔５１の下方であってリブ５２の内方には、茸状の突起５４が後方へ突設されており、円孔５１の上側であってリブ５２の下面には、茸状の突起５６が下方へ突設されている。
【００１４】
更に、カバー本体５０ａの前側内部において、各リブ５３の外側に、後側から前方へのスリット５７が入れられている。各スリット５７は、ガード体７０の肉厚と同様の幅を持ち、ガード体７０の前後幅より（若干）浅い深さを持つように形成されている。
又、カバー本体５０ａの側壁内面であって、各スリット５７を結ぶライン上において、内方へ突出する小突起５８，５８が複数設置されている。
更に、当該ラインのすぐ前側において、当該ラインに沿う複数のブロック状の突部５９，５９・・が設けられている。各突部５９の後面とスリット５７の底との前後方向の距離は、ガード体７０の幅と同様にされている。
加えて、カバー本体５０ａの下部には、左右両側へ張り出すガイド壁６５が設けられており、各ガイド壁６５の内側であって、カバー本体５０ａの碗状の側壁との交差部分には、掛止スリット６６（図５（ｅ）参照）が形成されている。掛止スリット６６の底は、スリット５７の底と、前後方向において一致するように配置されている。
【００１５】
更に、ハンドル前半部８の前辺中央上部には、突起５４に対応するカバー取付孔６８が開けられており、ハンドル前半部８の上端には、突起５６に対応するカバー取付孔６９が開けられている。
【００１６】
ガード体７０は、図６にも示すように、断面弧状あるいはΩ字状である帯状の部材であって、樹脂製であり、両端縁をそれぞれ折り曲げて、その折り曲げ部より端部側を掛り部７２としている。
又、当該折り曲げ部に対して端部と逆側には、カバー本体５０ａの小突起５８と同寸の小孔７４がそれぞれ設けられている。
【００１７】
このような注水式グラインダ１は、例えば次のように動作する。
即ち、コード２２を電源に接続してループハンドル４のスイッチ２３を入れると、スピンドル２０が回転し、これに取付けられた研磨パッド２７が回転して、適宜グリップ５も握りながら研磨パッド２７をワークに当てることで研磨を施すことができる。
又、接続部４８に水源からのホースを接続し、バルブ４４をレバー操作により開くと、ループハンドル４内の配水管４０やコネクタ４２ないし本体２前部下側の孔３２や周囲部材３０を通じて、スピンドル２０の水路２４に水が供給され、ピン水路２９を介して研磨パッド２７やその研磨面に注水される。
【００１８】
更に、研磨パッド２７取付前において、集塵カバー５０のカバー本体５０ａのみをループハンドル４に取付けることができる。即ち、ループハンドル４の上側に対してカバー本体５０ａの円孔５１を嵌めてリブ５２の内側を沿わせ、更にハンドル前半部８の上側のカバー取付孔６９に対しカバー本体５０ａの突起５６を下方へ挿入すると共に、ハンドル前半部８の前辺のカバー取付孔６８に対しカバー本体５０ａの突起５４を後方へ入れ込む。
カバー本体５０ａを取付けると、研磨パッド２７の下半分の周囲が覆われるため、ユーザ側に向かおうとする塵や水を跳ね返してこれらをカバー本体５０ａ内に集め、塵や水がユーザ側に飛散する事態を防止することができる。又、カバー本体５０ａが半碗状で研磨パッド２７の上半分を覆わないため、塵や水のユーザ側へ飛散を防止しながら、カバー本体５０ａをコンパクトにすることができるし、研磨状態等工具やワークの様子を視認することができる。
【００１９】
又、カバー本体５０ａに対し、ガード体７０を装着して、これらを組合わせた集塵カバー５０として取付けることも可能である。
即ち、ガード体７０につき、端縁を内側へ撓ませて各掛り部７２をガイド壁６５内の掛止スリット６６にそれぞれ入れると共に、中央部を各リブ５３に設けられたスリット５７に入れ、各突部５９とスリット５７の底の間に嵌めて、各小孔７４に対し対応する小突起５８が入るようにする。このように、ガード体７０は、端縁を撓ませてカバー本体５０ａの内壁に入れるだけで装着することができ、外す場合も同様であって、着脱が簡単である。尚、半碗状のカバー本体５０ａに対し弧状のガード体７０を取付けるから、カバー本体５０ａのループハンドル４に対する着脱状態にかかわらず（装着の際研磨パッド２７の非作動を確認する）、簡単にガード体７０を着脱可能であり、更にこれらがそれぞれ弾性体であるから、着脱時に撓ませることができてより一層着脱が容易となる。
更に、装着時には、掛止スリット６６（掛り部７２）や、スリット５７と突部５９（ガード体７０の帯幅）、あるいは小突起５８（小孔７４）により、ガード体７０がカバー本体５０ａに対して適切な位置に位置決めされた状態で確実に固定される。ここで、カバー本体５０ａが弾性体により形成されているため、弾性作用によりガード体７０を確実に固定することが可能である。又、弧状のガード体７０も弾性体で形成されているから、装着前（自然状態）の形状を維持しようとして端縁を外方へ戻す復元力（弾性力）により、掛止スリット６６へ掛り部７２が向かったり、ガード体７０がカバー本体５０ａの側壁内側に密着したり、小孔７４が小突起５８を深く受け入れたりする等、更に確実に固定することが可能となる。
【００２０】
そして、このようにガード体７０を装着すれば、研磨パッド２７の側周上側（周面部分のみ）も覆うことができる。
従って、研磨パッド２７の側周上半部に対し意図しないものが相対的に接近したとしても、ガード体７０により研磨パッド２７に対する接触を食い止めることができ、注水式グラインダ１が意図せず跳ねたり、ワーク等を意図せず研磨したりする事態を防止することができる。
又、ガード体７０を取付けても研磨パッド２７の上半ないしその周囲を後から視認することができ、やはり作業状態を把握可能として操作性を良好に維持することができる。
加えて、カバー本体５０ａとガード体７０は別体であり、ガード体７０の有無を選択することができるし、更にはカバー本体５０ａをループハンドル４に対し着脱自在として、カバー本体５０ａの有無を選択することができるようにしたので、作業内容等に応じ柔軟に運用することが可能となる。
【００２１】
尚、集塵カバー５０（カバー本体５０ａ）が配水管４０を収めるハンドル前半部８に対し取付けられるため、吸排気口やグリップ５等の設けられる本体２に取付ける場合に比べ、それらを避けることを要しない分集塵カバー５０（カバー本体５０ａ）の取付部を設置し易い。又、注水元のスピンドル２０に水を供給するため、スピンドル２０の近くに配水管４０が配置されることから、スピンドル２０ないし研磨パッド２７を覆う集塵カバー５０を着脱し易く構成できる。
又、ハンドル前半部８がループハンドル４の一部となっているため、配水管４０を含むハンドル前半部８につきスイッチ２３を含むハンドル後半部６と独立させることができ、電気部品のない（少ない）箇所にて送水して万一の水漏れに対処することができるし、スイッチ２３等の操作やハンドル後半部６の握りを行い易くすることができるし、集塵カバー５０（カバー本体５０ａ）をより着脱し易くすることができる。
【００２２】
加えて、集塵カバー５０（カバー本体５０ａ）に突起５４，５６を設けると共に配水管４０側にカバー取付孔６８，６９を設け、突起５４，５６をカバー取付孔６８，６９に入れることで集塵カバー５０（カバー本体５０ａ）を装着するので、取付機構をシンプルで設け易いものとしながら、簡単確実に取付可能にすることができる。
又、突起５４，５６が複数有り、それらは互いに交差する方向を向いているため、集塵カバー５０（カバー本体５０ａ）が装着時に様々な方向から外力を受けても、少なくとも何れかの突起で抗することができ、より確実な取付を提供することができる。
【００２３】
≪第２形態≫
図７は第２形態に係る注水式グラインダ１０１の全体斜視図であり、図８は注水式グラインダ１０１の集塵カバー１５０の斜視図であり、図９は集塵カバー１５０のカバー本体１５０ａの説明図である。
注水式グラインダ１０１は、集塵カバー１５０の後側の形態を除き、第１形態と同様であるため、第１形態と同様の部分につき同じ符号を付して適宜説明を省略する。
集塵カバー１５０は、カバー本体１５０ａとガード体７０を含み、カバー本体１５０ａの後側におけるリブ５２の外方には、取置き部としての複数の釘状の突出体１５２が、後方へ突出するように、上及び左右に配置されている。
上の突出体１５２とリブ５２の間隔は、ガード体７０の肉厚と同様にされている。
左右の突出体１５２，１５２の距離は、ガード体７０の左右幅より（若干）狭くされている。
【００２４】
カバー本体１５０ａに対しては、第１形態と同様、ガード体７０を装着して、工具の上側周囲を覆うことができる。
又、カバー本体１５０ａにおいては、ガード体７０を外した場合、図７，８に示すように、ガード体７０を取置く（仮置きする）ことが可能である。
即ち、各突出体１５２の内側に、ガード体７０を入れ込む。各突出体１５２の間隔は、ガード体７０の大きさより（若干）小さいため、ガード体７０を（若干）比較的に細長く撓ませて入れることとなり、確実な取置きのための取付を実現して脱落する事態を防止することができる。又、上の突出体１５２とリブ５２の間にガード体７０がぴたりと入り込み、更に取置きを確実なものとしている。
【００２５】
≪第３形態≫
図１０は第３形態に係る注水式グラインダ２０１の全体斜視図であり、図１１は注水式グラインダ２０１のガード体２７０の説明図である。
注水式グラインダ２０１は、ガード体２７０とカバー本体２５０ａのスリット２５７の形態を除き、第１形態と同様であるため、第１形態と同様の部分につき同じ符号を付して適宜説明を省略する。
【００２６】
注水式グラインダ２０１の集塵カバー２５０は、カバー本体２５０ａとガード体２７０を含む。
ガード体２７０は、第１形態のものに対し、上半後側において内側へ（若干）折れ曲がって延びる延設部２７１を追加した形態となっている。延設部２７１は、研磨パッド２７の外周後方に（僅かに）達するか、あるいは達しない程度まで内方に延ばされている。
カバー本体２５０ａのスリット２５７は、延設部２７１を含むガード体２７の上半部断面に対応する形状（く字状）に切り込まれている。
【００２７】
このような集塵カバー２５０においても、上記第１形態と同様、作業状況を把握しながら工具の意図しない接触から柔軟に保護することが可能となり、特にガード体２７０が延設部２７１を含むことにより、ガード体２７０装着時の保護性能が更に向上する。
又、ガード体２７０が径方向内側に折曲がる延設部２７１を含むことで、研磨パッド２７の巻上げ等によりガード体２７０の側壁（延設部２７１を除く上半部分）の頂辺（後辺，折曲り部）付近に達した水等を、延設部２７１で跳ね返すことができ、当該頂辺から作業時前方向（上方向）等への水等の飛散を防止して、作業時の視認性を良好にすることができる。
【００２８】
≪変更例≫
尚、本発明は、上記形態に限定されるものではない。例えば、上記形態は、次のようにそれぞれ変更することができる。
ループハンドルの形態につき、オーバル状としたり、曲線を含んで構成したものとしたりする。
集塵カバーの形態につき、ガード体とカバー本体を一体としたり、各種リブや突起、小突起、突部、突出体、各種スリット、各種の孔等を省略しあるいは増減したり、突起や突出体等の形状を笠無し等に変更したり、小孔を有底の穴としたり、小突起と小孔の設置元を逆にしたり、ガード体と同幅の帯状の凹部をカバー本体に設けて突部を省略したり、ガード体に直線部を含ませたり、ガード体の掛り部や延設部の折れ曲がり角度の大小を変えたり、ガード体を（弾性のある）金属で形成したりする等、適宜変更する。
ガード体の取置き部（突出体等）を、カバー本体に代えて、あるいはこれと共に、注水式電動工具側（本体やループハンドル）に設ける。
又、電池駆動のものや、注水式サンダ等、他の種類の注水式電動工具に適用する。
【符号の説明】
【００２９】
１・・注水式グラインダ（注水式電動工具）、２・・（注水式グラインダの）本体、２７・・研磨パッド（工具）、４０・・配水管、５０・・集塵カバー、７０・・ガード体、１５２・・突出体（取置き部）。
【図１】
2013163243.tif 000003
【図２】
2013163243.tif 000004
【図３】
2013163243.tif 000005
【図４】
2013163243.tif 000006
【図５】
2013163243.tif 000007
【図６】
2013163243.tif 000008
【図７】
2013163243.tif 000009
【図８】
2013163243.tif 000010
【図９】
2013163243.tif 000011
【図１０】
2013163243.tif 000012
【図１１】
2013163243.tif 000013